(57)【要約】      （修正有）【課題】高度に最小限の侵入切開口から移植できる、補綴具モジュールを提供する。【解決手段】高度に最小限度の切開侵入口で移植できる、補綴具モジュール８。特に、補綴具モジュールは、ネック１０とアンカ１２を備える。ネックとアンカは、共に、長骨の基部に近接する長骨の横方向から、一緒に挿入されて、互いに接続されるように構成されている。１つの実施例では、ネックは、関節部品に対応するような、別の補綴具部品に取付けるように構成された、ヘッド・エンドを持つ本体、及び、これを貫く開口部１８を備える。アンカは、ネックに形成された開口部の内で受けられるように寸法決めされることができる。加えて、アンカは、アンカがネックの中に開口部を形成する壁部と係合してそれらの部品を安定させるように構成される。【選択図】図１
2008307390.tif 000002
【特許請求の範囲】
【請求項１】
長骨の部分の内で受けるように構成された、人工関節モジュールであって、
長手方向の軸を持つ細長い本体を備えて、前記本体が、前記長骨を通して前記長骨の側面から前記長骨のヘッドまで伸びる、ネックと、
アンカであって、長手方向の軸を持つ細長い本体を備えて、前記アンカが、前記長骨の側面を通して、実質的に、前記長骨の解剖学的な軸に沿って、伸びる、アンカと、を具備して、
前記ネックおよび前記アンカの一方が、それ自体を貫通する開口部を具備し、前記開口部は、実質的に、前記ネックおよび前記アンカの前記一方の前記長手方向に対して横方向に伸び、前記ネックおよび前記アンカの他方は、前記開口部の内で受けることが出来るように寸法決めされている、人工関節モジュール。
【請求項２】
前記ネックは、それ自体を貫通して伸びる、前記開口部を備え、前記開口部は、実質的に、前記ネックの前記長手方向の軸に対して横方向に拡がっており、前記アンカが、前記開口部内で受容されるように寸法決めされている、請求項１に記載の、人工関節モジュール。
【請求項３】
前記開口部は、テーパ形状を有し、前記アンカが前記開口部内で、テーパ・ロックを形成するように受容される、請求項２に記載の、人工関節モジュール。
【請求項４】
前記ネックの前記長手方向の軸に少なくとも部分的に沿った、前記ネックの前記細長い本体、および、前記アンカの前記長手方向の軸に少なくとも部分的に沿った、前記アンカの前記細長い本体の少なくとも１つが、テーパ形状である、請求項１に記載の、人工関節モジュール。
【請求項５】
前記ネックの前記長手方向の軸に少なくとも部分的に沿った、前記ネックの前記細長い本体、および、前記アンカの前記長手方向の軸に少なくとも部分的に沿った、前記アンカの前記細長い本体の少なくとも１つが、複数の方向にテーパ形状である、請求項１に記載の、人工関節モジュール。
【請求項６】
前記ネックの前記長手方向の軸に少なくとも部分的に沿った、前記ネックの前記細長い本体、および、前記アンカの前記細長い本体のが、前記アンカの前記長手方向の軸に少なくとも部分的に沿った、少なくとも１つの方向に、テーパ形状である、請求項１に記載の、人工関節モジュール。
【請求項７】
前記ネックの前記本体は、大腿骨を通して、前記大腿骨の横面から前記大腿骨のヘッドへ伸びるように寸法決めされている、請求項１に記載の、人工関節モジュール。
【請求項８】
前記ネックの前記本体は、上腕骨を通して、前記上腕骨の横面から前記上腕骨のヘッドへ伸びるように寸法決めされている、請求項１に記載の、人工関節モジュール。
【請求項９】
前記ネックの前記本体は、ヘッド・エンドを具備し、前記ヘッド・エンドは、対応する補綴具の部品に取付けられるように構成されている、請求項１に記載の、人工関節モジュール。
【請求項１０】
前記ヘッド・エンドは、雄のテーパ形状をもつ、請求項９に記載の、人工関節モジュール。
【請求項１１】
前記細長い本体の前記長手方向の軸は、前記長骨の基部の曲率に近い、解剖学的な曲率を持つ、請求項１に記載の、人工関節モジュール。
【請求項１２】
前記長骨は、大腿骨を備えて、前記長手方向の軸の前記解剖学的な曲率は、実質的に、前記大腿骨の横面から前記大腿骨のヘッドまでの、前記大腿骨の基部の前記曲率に近い、前記請求項１１に記載の、人工関節モジュール。
【請求項１３】
関節ヘッドを持つ、長骨の部分の内で受容するように構成された、人工関節モジュールであって、
ネックであって、長手方向の軸を持ち、前記長骨を通して前記長骨の横面から前記長骨のヘッドへ伸びるように寸法が決められている、細長い本体、および、前記ネックを前記長骨の内で固定する接続手段を含む、ネックと、
前記ネックを支持する、支持手段であって、前記支持手段は、前記接合手段と係合するとき、前記長骨の横面を通して前記長骨の髄内導管の中へ伸びるように寸法が決められている、支持手段と、
を備える、人工関節モジュール。
【請求項１４】
前記接続手段は、前記細長い本体を通して伸びるアパーチャを含み、前記アパーチャはテーパを持つ壁によって形成される、請求項１３に記載の、人工関節モジュール。
【請求項１５】
前記支持手段は、前記アパーチャの前記テーパを持つ面と係合するように構成されたテーパを持った外側の面を持つ細長い本体を含み、前記アパーチャは、前記細長い本体を通して伸びる、請求項１４に記載の、人工関節モジュール。
【請求項１６】
前記支持手段は、可変半径の細長い本体を含む、請求項１３に記載の、人工関節モジュール。
【請求項１７】
前記接続手段は、前記本体の前記名が手方向の軸を横断する方向にある、請求項１３に記載の、人工関節モジュール。
【請求項１８】
長骨のヘッドの交換方法であって、
前記長骨の前記ヘッドを取外す工程と、
前記長骨の前記ヘッドが前記長骨から切骨される前に、前記長骨を通して長手方向の軸を持ち、前記長骨の横面から前記長骨の前記ヘッドによって占められる位置へ伸びる、ネックを挿入する工程と、
前記ネックの長手方向の軸を横断する方向に、前記長骨の前記横面を通して長骨の中へアンカを挿入する工程と、
前記アンカを前記ネックに固定する工程と、
を含む、長骨のヘッドの交換方法。
【請求項１９】
さらに、前記長骨内に、実質的に前記ネックのジオメトリと等しいジオメトリを持つ、ボアを削る工程を含む、請求項１８に記載の方法。
【請求項２０】
さらに、前記長骨内に、実質的に前記アンカのジオメトリと等しいジオメトリを持つ、ボアを削る工程を含む、請求項１８に記載の方法。
【請求項２１】
前記ネックは、さらに、その中に形成されたアパーチャを含み、前記アンカを挿入する工程は、さらに、前記長骨の前記横面、および、前記ネックの中の前記アパーチャを通して、前記ネックの前記長手方向の軸を横断する方向に、長骨の中へアンカを挿入する工程を含む、請求項１８に記載の方法。
【請求項２２】
前記ネックは、実質的に、前記長骨の前記基部の前記曲率に等しい、解剖学的な曲率を持つ、請求項１８に記載の方法。
【請求項２３】
さらに、前記ネックに人工関節ヘッドを固定する工程を含む、請求項１８に記載の方法。
【請求項２４】
長骨のヘッドの交換方法であって、
５．０８ｃｍ（２インチ）より小さい、最小の横方向侵入切り口を形成する工程と、
長骨のヘッドを切骨する工程と、
前記長骨の前記ヘッドが前記長骨から切骨される前に、前記横方向切り口を通して長骨の中へ入る長手方向の軸を持ち、前記長骨の横面から前記長骨の前記ヘッドによって占められる位置へ伸びる、ネックを挿入する工程と、
前記横方向切り口を通して、前記ネックの前記長手方向を横断する方向へ、長骨の中へアンカを挿入する工程と、
前記アンカを前記ネックに固定する工程と、
を含む、長骨のヘッドの交換方法。
【請求項２５】
前記横方向切り口は、３．８１ｃｍ（１．５インチ）より大きくない長さを持つ、請求項２４に記載の方法。
【請求項２６】
さらに、前記横方向切り口は、２．５４ｃｍ（１インチ）より大きくない長さを持つ、請求項２４に記載の方法。
【発明の詳細な説明】
【技術分野】
【０００１】
本発明は、補綴装置、および、これを使用するための外科手術方法に関する。
【背景技術】
【０００２】
補綴具は、通例、人体内の損傷した骨及び組織を修復、および／あるいは、交換するのに利用されている。たとえば、股関節補綴具は、損傷したあるいは破損した大腿骨、および／あるいは、寛骨臼の骨を交換するために、および、股関節の自然で解剖学的な関節を再生するために、移植されることができる。補綴具を移植するために、患者の皮膚に切り口を生成して、外科医が術部にアクセスできるように、その周囲の組織を後退させることを必要とする、整形外科手術が行われる。
【０００３】
補綴具の移植を容易にするために、補綴具モジュールを利用することができる。補綴具モジュールは、互いに接続されて完成した移植された補綴具を形成する、いくつかの個別の部品を持っている。たとえば、人工大腿骨モジュールは、互いに接続された、完成した移植された人工股関節を形成する、個別の、ステム、ネック、および、ヘッドを備えることが出来る。加えて、たとえば、人工大腿骨モジュールの大腿骨ヘッド部品のような、個々の部品は、様々な寸法と構成を持った、いくつかの異なる部品から選択することができる。適切な個々の部品を選択することによって、外科医は、患者本来の体に非常に近い、補綴具を組立てることができる。
【０００４】
加えて、補綴具モジュールを利用することによって、移植される個々の部品の寸法は小さくなる。その結果、補綴具を移植するために必要な対応する切り口も小さくなり、外科医は、最小限の侵入外科手術テクニック、すなわち、外科手術部位を取り巻く柔らかい組織に対する外傷を最小化する、外科手術テクニックを使用して、補綴具を移植できるようになる。最小限の侵入外科手術テクニックを利用することで、犠牲になる組織の量を少なくして回復時間を短縮するような、多くの利点を提供するが、現行の利用されている補綴具モジュールは、依然として、骨を準備して補綴具を適当な寸法にして適当な位置に配置にするために外科医が十分にアクセスするには、骨、および／あるいは、関節をかなり露出することを必要とする。
【特許文献１】米国特許第７，０４４，９７４号明細書
【特許文献２】米国特許第６，４４７，５１４号明細書
【特許文献３】米国特許出願公開第１０／１５５，６８３号明細書
【特許文献４】米国特許出願公開第１０／２６６，３１９号明細書
【特許文献５】米国特許出願公開第１０／３５８，００９号明細書
【特許文献６】米国特許出願公開第１１／０６１，８９８号明細書
【特許文献７】米国特許出願公開第１１／２５０，９２７号明細書
【特許文献８】米国特許出願公開第１１／６１１，１９４号明細書
【発明の開示】
【０００５】
本発明は、補綴装置、および、これを使用するための外科手術方法に関する。ひとつの実施態様では、補綴装置は、高度に最小限の侵入切開口（移植口）によって移植されることができる、補綴具モジュールを提供する。特に、補綴具モジュールは、ネックとアンカを含むことができる。ネックとアンカは、双方、長骨の基部に近接する長骨の横面を通して、互いに挿入されて接続されるように構成されている。ひとつの例示としての実施態様では、ネックは、対応する関節部品のような、別の補綴具部品に取付けるように構成された、ヘッド、および、アパーチャを持つ本体を含む。アンカは、ネックに形成されたアパーチャ内で受ける寸法にすることができる。加えて、アンカは、アンカがネック内でアパーチャを形成する壁に係合して部品を互いに固定するように構成することができる。別のひとつの例示としての実施態様では、アパーチャは、アンカ内に形成される。この実施態様では、ネックは、アンカ内に形成されたアパーチャ内で受ける寸法にされている。
【０００６】
有利な効果として、本発明の補綴具モジュールは、高度に最小化された侵入切り口（移植口）を通して大腿骨の転子の中へ横方向に挿入されることができる。たとえば、義肩の内で利用される場合、高度に最小化されたトランス・デルタ型の侵入切り口を通して、上腕骨の基部の中へ横方向に挿入されることができる。高度に最小化された侵入切り口を使用することによって、補綴具モジュールを移植する時、通常、犠牲になる、筋肉組織と靭帯構造は、救済されることができる。さらに、関節それ自体の内に補綴具移植する十分な空間を生成するために犠牲になることができる、骨の構造もまた保存されることができる。これにより、患者は、交換された関節にさらなる強度と安定性を提供することができる、さらに、自然のままの骨を保持することができる。加えて、本発明の補綴具モジュールと共に高度に最小化された侵入切り口を使用することで、交換された関節は、完全に露出されることは決してなく、関節を取り巻く膜嚢が保存される。
【０００７】
その中のひとつの形態では、本発明は、長骨の部分の内で受けるように構成されて、長手方向の軸を持ち、長骨を通して長骨の横面から長骨のヘッドへ伸びる寸法にされた細長い本体を含んだネック、および、長手方向の軸を持ち、長骨を通して長骨の横面を通して実質的に長骨の解剖学的な軸に沿って伸びる寸法決めされたアンカ（支持手段）を含み、ネックおよびアンカのいずれか一方は、それを通して実質的にそれぞれの長手方向の軸を横断して伸びるアパーチャを含み、ネックおよびアンカのもう一方は、アパーチャ内で受けるように寸法決めされている、補綴具モジュールを提供する。
【０００８】
その中の別のひとつの形態では、本発明は、関節ヘッドを持った、長骨の部分の内で受けるように構成されている、補綴具モジュールを提供する。補綴具モジュールは、ネックと支持手段を含み、ネックは、長手方向の軸、および、長骨内にネックを固定する接続手段を持ち、長骨を通して長骨の横面から長骨のヘッドへ伸びるように寸法決めされている、細長い本体を含む。
そして、支持手段が接続手段と係合するとき、ネックを長骨に固定する支持手段は、長骨の横面を通して長骨の髄内導管の中へ伸びるように寸法決めされている。
【０００９】
その中のさらに別のひとつの形態では、本発明は、長骨のヘッドを交換する方法を供給する。その方法は、長骨のヘッドを切骨する工程、長骨のヘッドが長骨から切骨される前に、長手方向の軸を持ち、長骨の横面から長骨のヘッドによって占められる位置へ伸びる、長骨を通してネックを挿入する工程、アンカを長骨の横面を通してネックの長手方向の軸を横切る方向に長骨に挿入する工程、および、アンカをネックに固定する工程を含む。
【００１０】
その中のさらに別のひとつの形態では、本発明は、長骨のヘッドを交換する方法を供給する。その方法は、長骨のヘッドを切骨する工程、高度に最小限の侵入用の横方向切り口を形成する工程、長骨のヘッドが長骨から切骨される前に、長手方向の軸を持ち、長骨の横面から長骨のヘッドによって占められる位置へ伸びる、ネックを、横切り口を通して長骨の中へ挿入する工程、アンカを横切り口を通して長骨の横面の中へネックの長手方向の軸を横切る方向に長骨に挿入する工程、および、アンカをネックに固定する工程を含む。
【発明を実施するための最良の形態】
【００１１】
図１を参照すると、補綴具モジュール８は、ネック１０とアンカ１２を含んで示されている。ネック１０は、ヘッド端１４と接続端１６を持つ、本体１１を含んでいる。本体１１は、それを通して伸びる、湾曲した長手方向の軸ＬＡを規定してもいる。本体１１の接続端１６は、アンカ１２を受けるように寸法決めされている、アパーチャ１８を含んでいる。ここでは、ネック１０の中に形成されているように示されているが、アパーチャ１８は、アンカ１２の中に形成することができる。また、部品、すなわち、ネック１０、アンカ１２は、実質的に、以下の詳細な記載と同じように接続されることができる。アンカ１２は、湾曲した長手方向の軸ＬＢを規定する、本体１３を含む。ひとつの例示的な実施態様では、アパーチャを確定する、ネック１０の壁は、アンカ１２の座端２２の対応するテーパ形状を有するジオメトリと協働する、テーパ形状を有している。この実施態様では、ネック１０とアンカ１２を組立てるために、アンカ１２の骨接続端（骨に接続する端）２０は、ネック１０のアパーチャ１８を通して挿入される。アンカ１２が、アパーチャ１８を通して前進すると、アンカ１２の骨接続端２０は、ネック１０のアパーチャ１８を画定する壁と嵌め合わせで係合して、テーパ・ロックを形成する。この相互作用によって、アンカ１２のネック１０のアパーチャ１８を通したさらなる前進を防止して、アンカ１２をネック１０に固定することができる。図２を参照すると、補綴具モジュール８は、ネック１０のアパーチャ１８内にしっかりと着座したアンカ１２を伴って示されている。ここでは、テーパ・ジオメトリを持って示されているが、ネック１０のアパーチャ１８とアンカ１２の座端２２は、部品を互いに固定できる相補的な如何なるジオメトリをも持つこともできる。加えて、他の例示的な実施態様では、アンカ１２のネック１０への固定は、ファスナーのような、別の部品によって提供される。
【００１２】
ここで示すように、ネック１０の本体１１とアンカ１２の本体１３の断面は、それぞれ、共に、卵形をなす。しかしながら、本体１１、１３の断面は、図７から図１０および図１２から図２０を参照して以下に記載するような、如何なるジオメトリも持つことが出来る。たとえば、本体１１、１３の断面は、円形であることもできるし、複合的に合成された湾曲を持つことも出来る。特定の応用において、適当な断面ジオメトリを選択することで、補綴具モジュール８の使用寿命を増加する、負荷移動利得を提供することができる。加えて、長手方向の軸ＬＡ、ＬＢに沿った、本体１１、１３のジオメトリは、各々、変更することができる。ひとつの例示的な実施態様では、たとえば、図９に示すように、本体１１の解剖学的な湾曲は、実質的に、大腿骨３０のネック３３の基部３１の湾曲を真似ることができる。本体１１、１３のジオメトリを適当な解剖学的な構造、たとえば、その中に本体１１、１３が移植される、長骨の形状に適合するように変えることで、付加的に筋肉組織と靭帯構造は、保存されることが出来る。ここでは、大腿骨３０に関して特に示しているが、補綴具モジュール８は、たとえば、上腕骨のような、如何なる長骨とも関連して使用することができる。また、補綴具モジュール８は、実質的に、それらの長骨の特定のジオメトリに類似した、解剖学的な湾曲を含むことができる。
【００１３】
補綴具モジュール８の大腿骨３０に対するジオメトリを示している、図９を参照して、ネック１０とアンカ１２の本体１１、１３のテーパ形状の湾曲は、それぞれ、長手方向の軸ＬＡ、ＬＢに沿った本体１１、１３の半径を変えることによって形成されることができる。特に、図１とアンカ１２の本体１３を参照すると、本体１３の湾曲の半径は、長手方向の軸ＬＢに沿って矢印Ｂの方向に減少することができる。同様に、ネック１０の本体１１の湾曲の半径は、長手方向の軸ＬＡに沿って矢印Ｃの方向に減少することができる。図６のシルエットに示された、別の例示的な実施態様では、補綴具モジュール４８のネック５０とアンカ５２の本体５４、５６の半径は、それぞれ、実質的に、それぞれ、長手方向の軸ＬＡ、ＬＢに沿って一定のままである。この実施態様では、ネック５０とアンカ５２の本体５４、５６の湾曲の半径は、たとえば、近似的に、５．５９ｃｍ（２．２０インチ）、５．８４ｃｍ（２．３０インチ）、あるいは、６．１０ｃｍ（２．４０インチ）程度に低く、あるいは、６．４８ｃｍ（２．５５インチ）、６．７３ｃｍ（２．６５インチ）、あるいは、６．９９ｃｍ（２．７５インチ）程度に高くすることができる。ひとつの例示的な実施態様では、アンカ５２の本体５６の湾曲の半径は、実質的に、６．３５ｃｍ（２．５０インチ）である。加えて、図７、８、１０に示すように、補綴具モジュール８の別の例示的な実施態様では、補綴具モジュール６０、７０、８０、９０として示されている。図７−１０は、ヘッドを持った大腿骨３０、すなわち、ヘッドが切骨される前、を示している。補綴具モジュール８、６０、７０、８０の様々な寸法と構造は、さらに例示される。
【００１４】
図１２を参照して、本発明の補綴具モジュールの別の例示としての実施態様が、補綴具モジュール９０として示されている。補綴具モジュール９０は、補綴具モジュール８に対応する特徴と同一な、あるいは、実質的に、同一な様々な特徴を含んでおり、それらの間で同一な、あるいは、実質的に、同一な様々な特徴を同定するのに、同じ参照番号を使用している。補綴具モジュール９０は、ネック９２とアンカ９４を含んでいる。図１の補綴具モジュール８と同様に、ネック９２は、ヘッド端９８と接続端１００を持つ本体９６を含んでいる。本体９６の接続端１００は、アンカ９４を受けるように寸法決めされたアパーチャ１０２を含む。アンカ９４は、湾曲した長手方向の軸ＬＤを持つ本体１０４を含んでいる。ここでは、ネック内に形成されて示されているが、アパーチャ１０２は、アンカ９４の中に形成されることもでき、また、それらの部品、すなわち、ネック９２とアンカ９４は、補綴具モジュール８に関して上述したものと実質的に同様な態様で接続されることができる。
【００１５】
図１２のアンカ９４の断面は、図１３−１５に示されており、これらを組み合わせて、長手方向の軸ＬＤに沿った、アンカ９４のテーパ構造を示している。特に、図１３を参照すると、アンカ９４の側面１０６、１０８は、側面１０６、１０８の間で角度αをなす、矢印ＤA方向の第一のテーパを持っている。ひとつの例示的な実施態様では、角度αは、５、７、あるいは、１０°程度に小さ、あるいは、角度αは、１５、２０、あるいは、２５°程度に大きい。別の例示的な実施態様では、角度αは、１５°である。別の例示的な実施態様では、角度αは、１１°である。有利な効果として、角度αは、アンカ９４の位置を保持することを支援する、押し込む動作をするによって、長骨の内でのアンカ９４の封止を容易にする。特に、アンカ９４の輪郭に合うように骨をリーミングすることで、アンカ９４の上部、すなわち、最大の幅を持つ部分は、アンカ９４の下方部分の最も細い幅によって、下方へ移動して骨の中へすること、および／あるいは、内反側に移動するのを制限される。
【００１６】
図１３に示したように、図１２の線１３−１３に沿ったアンカ９４の断面は、高さＨ1を持っている。ひとつの例示的な実施態様では、高さＨ1は、０．８ｃｍ（０．３インチ）、１．０ｃｍ（０．４インチ）、あるいは、１．３ｃｍ（０．５インチ）程度に低く、また、１．５ｃｍ（０．６インチ）、２．０ｃｍ（０．８インチ）、あるいは、２．５ｃｍ（１．０インチ）程度に高くあることが出来る。別の例示的な実施態様では、高さＨ1は、実質的に、１．８ｃｍ（０．７インチ）に等しい。さらに、図１２の線１３−１３に沿ったアンカ９４の断面は、長手方向の軸ＬＤ上の中間点１１０で、幅Ｗ1を持っている。幅Ｗ1は、０．３ｃｍ（０．１インチ）、０．５ｃｍ（０．２インチ）、あるいは、０．８ｃｍ（０．３インチ）程度に狭く、また、１．０ｃｍ（０．４インチ）、１．３ｃｍ（０．５インチ）、あるいは、１．８ｃｍ（０．７インチ）程度に広くあることが出来る。別の例示的な実施態様では、幅Ｗ1は、実質的に、０．８ｃｍ（０．３インチ）に等しい。アンカ９４の本体１０４が長手方向軸ＬＤに沿って接続端２０に向かって進むにつれて、本体１０４のその高さと幅は、減少する。
【００１７】
特に、図１４に示すように、図１２の線１４−１４に沿ったアンカ９４の断面は、長手方向の軸ＬＤ上の中間点１１２で、高さＨ2と幅Ｗ2を持っており、図１３に示すように、高さＨ2と幅Ｗ2は、高さＨ1と幅Ｗ1より小さい。ひとつの例示的な実施態様では、高さＨ2は、０．５ｃｍ（０．２インチ）、０．８ｃｍ（０．３インチ）、あるいは、１．０ｃｍ（０．４インチ）程度に低く、また、１．３ｃｍ（０．５インチ）、１．８ｃｍ（０．７インチ）、あるいは、２．０ｃｍ（０．８インチ）、程度に高くあることが出来る。別の例示的な実施態様では、高さＨ2は、実質的に、１．５ｃｍ（０．６インチ）に等しい。さらに、別の例示的な実施態様では、幅Ｗ1は、０．１ｃｍ（０．０５インチ）、０．３ｃｍ（０．１インチ）、あるいは、０．４ｃｍ（０．１５インチ）程度に狭く、また、０．５ｃｍ（０．２インチ）、０．８ｃｍ（０．３インチ）、あるいは、１．３ｃｍ（０．５インチ）程度に広くあることが出来る。別の例示的な実施態様では、幅Ｗ1は、実質的に、０．５ｃｍ（０．１８インチ）に等しい。図１５に示すように、図１２の線１５−１５に沿ったアンカ９４の断面は、長手方向の軸ＬＤ上の中間点１１４で、高さＨ3と幅Ｗ3を持っており、図１３に示すように、高さＨ3と幅Ｗ3は、それぞれ、図１２、１３の、高さＨ1、Ｈ2と幅Ｗ1、幅Ｗ2より小さい。長手方向の軸ＬＤに沿って骨接続端２０に向かってアンカ９４の本体１０４の高さが減少するにつれて、別の第二のテーパが形成される。加えて、長手方向の軸ＬＤに沿って骨接続端２０の方向へアンカ９４の本体１０４の幅が減少するにつれて、第三のテーパが形成される。
【００１８】
上述した、角度αで形成されたテーパと同様に、アンカ９４の本体１０４の第二、第三のテーパ、すなわち、本体１０４の高さと幅をそれぞれ減少して形成したテーパは、さらに、アンカ９４の位置を保持することを助ける、くさびを打ち込む動作によって、アンカ９４の長骨内での封止を容易にする。特に、骨をアンカ９４の輪郭にあわせてリーミングすることで、骨接続端２０と反対方向のアンカ９４の部分は、骨接続端２０でアンカ９４の本体１０４の高さと幅が小さくなることによって、さらに骨の中へ移動することを制限される。加えて、ここでは、アンカ９４は、３つの明確に区別できるテーパを持って示されたが、アンカ９４は、ここに記載したテーパを、個別に、あるいは、どのような組合せでも利用することができる。
【００１９】
図１６を参照して、ネック９２の断面は、図１２の線１６−１６に沿った断面が示されている。ネック９２の側面１１６、１１８は、それらの間に角度βをなして、矢印ＤBの方向に第一のテーパを持っている。一つの例示的な実施態様では、角度βは、５°、７°、あるいは、１０°程度に低く、１５°、２０°、あるいは、２５°程度に高い。別の例示的な実施態様では、角度βは、１５°である。別の例示的な実施態様では、角度βは、１１°である。有利な効果として、角度βは、ネック９２の位置的な保持を支援するくさびを打ち込む動作によって、ネック９２の長骨内での着座を容易にする。特に、ネック９２、ネック９２の上部、すなわち、最も大きな幅を持つ部分の輪郭に合うように骨をリーミングすることで、アンカ９４の低い部分でより幅が小さくなっているために、解剖学的に装着する間にネック９２が内反的に移動することを制限する。加えて、図６に示すように、図１２の線１６−１６に沿ったネック９２の断面は、湾曲した長手方向の軸ＬＣの中間点１２０で高さＨ4及び幅Ｗ4を含む。アンカ９４と同様に、ネック９２の本体９６の高さ及び幅は、湾曲した長手方向の軸ＬＣにそって接続端１００からヘッド・エンド９８へ向かって減少して付加的なテーパを形成する。たとえば、ネック９２の接続端１００での高さは、実質的に、高さＨ4よりも高い、２．５４ｃｍ（１．０インチ）とすることができる。加えて、ネック９２のヘッド・エンド９８での高さは、実質的に、高さＨ4よりも低い、２．２２ｃｍ（０．８７５インチ）とすることができる。ネック９２の本体９６に付加的にテーパを形成することで、アンカ９４に関して、上に詳述したのと同様に、さらに、ネック９２の長骨内での着座を容易になる。加えて、ここで記載したネック９２は、３つの明確に区別できるテーパを持っているが、個々に記載したテーパを個別にあるいは任意の組合せで使用することができる。
【００２０】
図１７を参照すると、ネック１０が、前方／後方に曲率Ｒの半径を持つ、補綴具モジュール８の別の例示的な実施態様が示されている。ここで、解剖学的な方向は、補綴具モジュール８のような、補綴具モジュール、あるいは、ネック１０、および／あるいは、アンカ１２のような、その部品を、その移植された位置での方向を参照するものとして、使用されている。たとえば、図１７は、補綴具モジュール８の基部の平面図を示している。この基部の平面図で、前方／後方にネック１０の曲率の半径をみることができる。結果として、ネック１０のヘッド・エンド１４は、ネック１０の接続端１６及びアンカ１２の本体１３に対して前方／後方にオフセットを持っている。特に、ネック１０のヘッド・エンド１４は、中央の面Ｅと角度γをなして、前方及び後方のいずれかにオフセットを持っている。ある実施態様では、中央面Ｅは、前頭面に対応する。加えて、ヘッド・エンド１４に、前方及び後方のいずれかにオフセットを持たせることで、補綴具モジュール８の全体の深さＹは、浅くなる。有利な効果として、補綴具モジュール８のネック１０を異なる前方／後方のオフセットを持つように変更することで、解剖学的に患者に最も近い補綴具モジュール８を形成する、ひとつのバリエーションを選択することができる。
【００２１】
図１８に示す、補綴具モジュール８の別の例示的な実施態様では、補綴具モジュール８のネック１０のアパーチャ１８（図１）の位置を、ネック１０の本体１１を基部方向／末端方向へ動くように変えることができる。たとえば、図１８の実線で示すように、ネック１０は、中央部にある。図１８の点線で示すように、アパーチャ１８の軌跡を選ぶことで、ネック１０の本体１１を通して伸びるに応じて、上述したように、ネック１０を基部方向／末端方向へ動かしてネック１０に基部方向／末端方向のバリエーションを提供することができる。特に、ネック１０のヘッド・エンド１４は、基部方向及び末端方向のいずれか一方と中央の面Ｆから角度δをなすことが出来る。別の例示的な実施態様では、アパーチャ１８の軌跡を維持しながら、ネック１０の本体１１の曲率の半径は、基部方向／末端方向に変化して、ネック１０のヘッド・エンド１４を変更された基部方向／末端方向に位置させる。別の例示的な実施態様では、ネック１０の接続端１６は、第一の、固定された、基部方向／末端方向の曲率半径を持って、アパーチャ１８の位置を維持できる。また、本体１１の残りの部分は、第二の、可変の、基部方向／末端方向の曲率半径を持つ。第二の基部方向／末端方向の曲率半径を変化させることで、ネック１０は、図１８に示す、異なるヘッド・エンド１４の基部方向／末端方向の位置を持つ、異なる配置にされることができる。有利な効果として、補綴具モジュール８のネック１０が基部方向／末端方向のバリエーションを持つように変更することで、補綴具モジュール８は、異なる基部方向／末端方向の位置を持って適切にネック１０の内反／外反角度を設定して実質的に患者の長骨のネックの自然の内反／外反位置に合うようにできる、ネック１０のバリエーションを備えることが出来る。
【００２２】
図１８に示すように、補綴具モジュール８のネック１０のアパーチャ１８（図１）の位置、および／あるいは、軌跡も、アンカ１２の本体１３を中間に／横方向に動かすように変更できる。たとえば、図１８の実線で示すように、アンカ１２は、中央部にある。図１８の点線で示すように、補綴具モジュール８のネック１０のアパーチャ１８（図１）の位置、および／あるいは、軌跡は、アンカ１２の本体１３を中間に／横方向に動かすように変更されることもできる。アパーチャ１８の位置、および／あるいは、軌跡を変更することで、ネック１０の本体１１を通して伸びるに応じて、上述したように、アンカ１２の本体１３を中間／横方向に動いて、アンカ１２に対する中間／横方向のバリエーションを提供することができる。特に、アンカ１２の骨接続端２０は、中間方向及び横方向のいずれか一方と中央の面Ｇから角度εをなすことが出来る。別の例示的な実施態様では、アパーチャ１８の軌跡を維持しながら、アンカ１２の本体１３の曲率の半径は、中間方向／横方向に変化して、アンカ１２の骨接続端２０を変更された中間方向／横方向に位置させる。別の例示的な実施態様では、アンカ１２の着座端２２は、第一の、固定された、中間方向／横方向の曲率半径を持って、ネック１０のアパーチャ１８の、様々なアンカ１２を嵌める、標準位置を維持できる。また、本体１３の残りの部分は、第二の、可変の、中間方向／横方向の曲率半径を持つ。本体１３の第二の曲率半径を中間方向／横方向に変化させることで、アンカ１２は、図１８に示すような、骨接続端２０の異なる中間方向／横方向の位置を持つ、アンカ１２が提供される。有利な効果として、上に詳述したように、補綴具モジュール８のアンカ１２が中間方向／横方向のバリエーションを持つように変更することで、補綴具モジュール８は、異なる中間方向／横方向の位置を持って適切にアンカ１２の内反／外反角度を設定して、実質的に患者の長骨のネックの自然の内反／外反位置に合うようにできて、本体１３の皮質接触を最大化できる、アンカ１２のバリエーションを備えることが出来る。
【００２３】
図１９に示す、別の例示的な実施態様では、補綴具モジュール８のアンカ１２は、本体１３に沿って前方／後方の方向に湾曲して、アンカ１２を前方／後方のオフセット位置に配置する。特に、アンカ１２の接続端２０は、前方方向及び後方方向のいずれか一方と中央の面Ｊから角度θをなすことが出来る。たとえば、アンカ１２の本体１３は、対応してオフセット角を変えることが出来る、Ｓの曲率半径を持つことが出来る。有利な効果として、補綴具モジュール８のアンカ１２を前方／後方のいずれか一方のオフセットを持つように変更することで、補綴具モジュール８の全体としての高さＸは、低くなる。代替的には、図１９に示す、別の例示的な実施態様では、ネック１０の接続端１６を通して伸びるアパーチャ１８の方向を変更することで、アンカ１２を前方／後方のオフセットと実質的に同様にすることができる。
【００２４】
本発明の補綴具モジュールの様々な特徴のいくつかは、別々に図示および記載されているが、ネックとアンカを含む補綴具モジュールは、たとえば、上記で詳述した個々のオフセットのような、ここで議論された如何なる設計を含む、本発明の教示に従って、個別にも、あるいは、それらの潜在的な如何なる組合せでも、作製することが出来る。加えて、変化する角度γ、δ、ε、θを持った、ネック１０とアンカ１２のような、モジュール部品のつながりを作成することができる。変化する角度γ、δ、ε、θを持つ、複数の部品を供給することで、個々の部品を、個々の患者の自然な解剖学的な形態に近く複製した、個々の補綴具を作製するように選ぶことが出来る。
【００２５】
補綴具モジュール８、４８、６０、７０、８０、９０に使用されている、あるいは、その各々のジオメトリに関係なく、補綴具モジュール８、４８、６０、７０、８０、９０の各々のネックは、長骨の側面から長骨の切骨部位へ伸びるように、寸法と形状が規定されている。特に、補綴具モジュール４８に関して、図６に示すように、補綴具モジュール４８のネック５０は、大腿骨３０の側面２８から大腿骨３０の切骨された表面３２へ伸びている。このように、ネック５０のヘッド・エンドは、大腿骨３０の切骨された表面３２から伸びて、大腿骨のヘッド部品（図示しない）を補綴具モジュール４８に固定する。以下、このことに関して、補綴具モジュール８を参照して詳述する。
【００２６】
補綴具モジュール８のような、本発明の補綴具モジュールを移植するために、横方向の切り口が、長骨、たとえば、大腿骨の基部に近接して設けられる。加えて、横方向の切り口を形成に加えて、前方の切り口１５２（図１１）のような、前方の切り口を形成することもできる。ひとつの例示的な実施態様では、横方向の切り口が、実質的に、長骨、たとえば、大腿骨の大きい方の転子（大腿骨の上部突起部の大きい方）、すなわち、大きい方の転子に最も近い表皮上のスポットに直接的に隣接して設けられる。この実施態様では、図１１に示した切り口１５０は、高度に最小の侵入口であり、すなわち、切り口１５０の長さは、５．１ｃｍ（２インチ）を超えないことができる。ひとつの例示的な実施態様では、切り口１５０の長さは、３．８ｃｍ（１．５インチ）より短く、別の例示的な実施態様では、２．５ｃｍ（１インチ）より短い。補綴具モジュール８は、上で議論したように、如何なる長骨の中にも移植することができるが、ここでは、特に、大腿骨３０に関した補綴具モジュール８が記載されている。
【００２７】
前方切り口１５２は、股関節の寛骨臼の準備、および、寛骨臼のカップの受け容れができるように寸法決めされている。たとえば、発明の名称を、モジュール式の寛骨臼カップ・アセンブリを具備した人工股関節、と題する、（その開示すべてを個々で参照して明示的にここで取り込む）特許文献１に開示されているような、寛骨臼のカップを、前方切り口１５２を通して挿入することができる。標準的な寛骨臼のカップを利用する場合、前方切り口１５２の寸法は、長さで、ほぼ、５．１から７．６ｃｍ（２から３インチ）である。ひとつの例示的な実施態様では、前方切り口１５２の寸法は、７．６ｃｍよりも短い。前方切り口１５２の寸法は、移植される寛骨臼カップの寸法によって制限される。このように、セグメント化された、あるいは、モジュール式の寛骨臼カップが使用された場合、前方切り口１５２の寸法は、高度に最小の侵入口を形成するように対応して小さくすることが出来る。この実施態様では、前方切り口１５２の寸法は、５．１ｃｍ（２インチ）より短い。
【００２８】
図１１を参照して、一旦、横方向の切り口１５０が設けられると、連続的に、削って大腿骨３０の中にボア３６を形成することができる。連続的に削る際、ヤスリを段々と大きいものに変えて、最後に、図３に示す、最大のヤスリ２６が、横方向の切り口を通して、挿入されて大腿骨３０の横面２８を通して伸びるボア３６を形成する。特に、最小の直径のヤスリは、複数のヤスリから選択されて、最初、実質的に、補綴具モジュール８のネック１０より小さな、小さいボアを大腿骨３０の中に形成する。大腿骨３０は、一旦、最初の、最も小さな直径のヤスリで、削れられると、最初のヤスリで形成された寸法と形状に対応した寸法と形状を持つボアが形成される。最初のヤスリが取除かれると、次に大きい直径を持つヤスリが選択される。このヤスリが、この最初のヤスリで形成されたボアに挿入されて、この工程が繰り返される。そして、実質的にネック１０と同じような寸法と形状を持つヤスリが挿入できるようになるまで、この過程が再び繰り返される。そして、ヤスリ２６は、大腿骨３０のボア３６を形作って、ほぼ、ネック１０と寸法と形状にするのに使用される。
【００２９】
一旦、ヤスリ２６が、実質的に、ネック１０のジオメトリに類似のジオメトリを持つボア３６を形成すると、引き続いて、ボア３６に関して上に記載したのと同様に、ボア４６をヤスリがけする。ひとつの例示的な実施態様では、ヤスリ２６は、それを通して伸びる、実質的に、ネック１０のアパーチャ１８と同様な、アパーチャ（図示しない）を含んでいる。この実施態様では、一旦、ボア３６が形成されると、ヤスリ２６は、大腿骨３０の中へ完全に挿入されて、その中で留まることができる。そして、最終的にヤスリ３４となる、連続的に使用されるヤスリの各々は、ヤスリ２６の中のアパーチャを通して挿入されて、ボア４６を形成するための所望の位置にヤスリ３４を案内することができる。このように、最終的にヤスリ３４となる、連続的に使用されるヤスリの各々の位置は、ヤスリ２６のアパーチャの位置によって参照される。加えて、ボア３６を生成するのに使用された同一の入口を通して、ボア４６を連続的に削られる。堂宇いつの入口を利用することで、ここで記載された工程は、最小限の筋肉及び靭帯の損傷の生成で済み、患者の回復期間を短くする。一旦、図４に示す、ボア４６がヤスリ３４を受け容れるに十分な寸法に達して、アンカ１４の寸法に対応すると、ヤスリ３４は、挿入されてボア４６の最終的なジオメトリを形成する。
【００３０】
図４に示すように、ヤスリ３４は、横の入口とボア３６を通して、下方に向かう、基部にある面に沿って挿入される。ヤスリ３４は、大太刀骨３０の髄内脈管を形成する、海綿状の骨３８を通して伸びて、ヤスリ３４の端４０は、皮質骨層の４４の内側の壁４２に接触する。ヤスリ２６を同様に、ヤスリ３４は、アンカ１２の対応するジオメトリに実質的に同様のジオメトリを持っている。ひとつの実施態様では、補綴具装置は、それぞれ、複数のネック１０と複数のアンカ１２と実質的に同一の寸法と形状を持つ、複数のヤスリ２６、３４をそれぞれ含むことが出来る。ひとつの実施態様では、複数のヤスリ２６、３４は、それぞれ、複数のネック１０と複数のアンカ１２と比較して、わずかに小さい、ジオメトリを持っている。一旦、移植されると、複数のヤスリ２６、３４がわずかに小さいので、それぞれ、複数のネック１０と複数のアンカ１２は、周囲の骨としっかりと合う。このように、外科医は、選択したネック１０とアンカ１２の寸法に基づいて、大腿骨３０の中にボア３６、４６（図６）を形成するために、適切なヤスリ２６、３４を選択することができる。
【００３１】
別の実施態様では、大腿骨３０の中にボア３６、４６は、リーミングされる、あるいは、代替的に、連続的にリーミングしてすなわち、小さいサイズから徐々に大きなサイズのリーマを利用して行って、形成することができる。加えて、発明の名称を、ポリマー充填股関節破損修復装置、と題する、特許文献２、および、それぞれ、発明の名称を、大腿骨破損を低減する方法と装置、と題する、特許文献３、４、５、６、７、８に開示されている、（これらの開示すべてを個々で参照して明示的にここで取り込む）、ドリルで穴を開けるような、長骨内にボアを形成する如何なる他の方法を使用することができる。大腿骨３０にボア３６、４６を形成するのに利用されている方法に関係なく、ヤスリ２６、３４は、ネック１０とアンカ１２に対応するジオメトリをそれぞれ真似た最終的なジオメトリを形成することによって、上で詳述したように、ボア３６、４６を仕上げるのに使用されることができる。
【００３２】
図５に示された、大腿骨３０内に形成された、ボア３６、４６と共に、補綴具モジュール８はその中へ挿入される。特に、ネック１０のヘッド・エンド１４は、横の入口とボア３６の中に挿入されて、大腿骨３０を通して伸びる。特に、一旦、適切に配置されると、横面２８から大腿骨３０の切骨された表面を通してネック１０は伸びる。一旦、ネック１０が適切に大腿骨３０のボア３６の内に配置されると、アンカ１２の骨接続端２０は、ネック１０のアパーチャ１８を通して挿入される。アンカ１２がアパーチャ１８を前進すると、骨接続端２０は、表皮骨層の内側の壁４２に接触する。特に、図１、２、９に示される、ある実施態様では、アンカ１２の骨接続端２０は、表皮骨層の内側の壁４２の内側の壁４２との接触を最大化するように構成された壁２３を含む。ひとつの実施態様では、壁２３は、壁４２のアーチ形に曲がった形状に実質的に合うように構成されたアーチ形に曲がった形状を持つ。一旦、アンカ１２がネック１０のアパーチャ１８内に挿入されると、アンカ１２は、ネック１０が大腿骨３０から外れるのを防止する。
【００３３】
加えて、図７−１０に示すように、図６に示すネック１０の端４９のような、補綴具モジュール８、６０、７０、８０、９０の、それぞれのネックの各々の端は、表皮骨層４４にも接触している。このように、補綴具モジュールと表皮骨層４４との間の接触する２点が確立される。図７に示されるように、表皮骨層４４と補綴具６０の間の付加的な接触点Ｐ1は、ネックのヘッド・エンド近傍に確立することができる。加えて、図１０に示すように、表皮骨層４４と補綴具８０の間の付加的な接触点Ｐ2は、大腿骨３０のシャフトに沿って確立することができる。ひとつの例示的な実施態様において、補綴具モジュール８、６０、７０、８０、９０の部品は、個別の患者の表皮骨層に接触し易い、ジオメトリ構成を提供できるように、相互交換可能である。
【００３４】
ひとつの例示的な実施態様において、骨と接触する面（骨接触面）、および／あるいは、補綴具モジュール８、６０、７０、８０、９０の各々のネックとアンカは、骨内部成長物質でコーティングされている、あるいは、骨内部成長物質から形成されている。この骨内部成長物質は、たとえば、トラベキュラー・メタル・テクノロジー（商標）、ＣＳＴｉ（商標）（海綿状構造チタン（商標））、あるいは、ファイバー・メタルを使用して製造されたような物質である。トラベキュラー・メタル・テクノロジー（商標）、ＣＳＴｉ（商標）、海綿状構造チタン（商標）は、インディアナ・ワルソーのジンマー・テクノロジー社の商標である。骨の内部成長をし易くすることによって、補綴具モジュール８、６０、７０、８０、９０に、付加的な強度と硬さを提供することが出来る。加えて、ネック１０とアンカ１２の本体１１、１３は、それぞれ、完全に、たとえば、トラベキュラー・メタル・テクノロジー（商標）、ＣＳＴｉ（商標）（海綿状構造チタン（商標））、あるいは、ファイバー・メタルを使用して製造された物質から形成することができる。
【００３５】
ここで示して記載したように、ネック１０のヘッド・エンド１４は、テーパを持つ表面２４を持つことが出来る。テーパを持つ表面２４は、たとえば、内部雌テーパ１２／１４（ｉｎｔｅｒｎａｌ  ｆｅｍａｌｅ  １２／１４  ｔａｐｅｒ）を持つ、従来の金属性の大腿骨ヘッド（図示しない）ような、補綴具の部品を受け容れるように構成することができる。このように、一旦、補綴具モジュール８が移植されると、上に詳述したように、塚的な補綴具部品を、ネック１０のヘッド・エンド１４に接続することができる。加えて、テーパを持つ面２４とヘッド・エンド１４は、よりしっかりしたロッキング係合を促進して、疲労によって発生する剥離片を潜在的に低減するように湾曲することができる。ここではテーパを持った面２４で示し記載したが、ヘッド・エンド１４は、テーパを持った面２４を持たないこともでき、また、その代わりに、たとえば、対応するヘッド部位品に、レーザ溶接、電子ビーム溶接、超音波溶接、接着、エポキシ樹脂での接着、冷間溶接、屈曲、変形、螺子止め、ボルト止め、あるいは、ピンで留めることもできる。
【００３６】
図２１、２２に示した、ある例示的な実施態様において、ネック１６０は、ここで記載した如何なるアンカとも関連して使用することができ、また、ここで記載した、如何なるジオメトリ、あるいは、特徴も組み込むように変更することができる。図２１、２２を参照して、ネック１６０は、ネック１０の特徴に対応する、同一の、あるいは、実質的に同一の、いくつかの特徴を含むことが出来、それらの間で同一の、あるいは、実質的に同一の特徴を同定するために、同じ参照番号が使用されている。変形可能なヘッド１６２は、ネック１６０のヘッド・エンド１５９上に配置されている。ひとつの実施態様では、変形可能なヘッド１６２は、その中に形成されて、ネック１６０の接続端１６から伸びる通路１６６、および、アパーチャ１８と流体的に連通する、複数のチャネル１６４を含む。カニューレ１６８は、通路１６６の部分の内で受ける寸法をなしている。カニューレ１６８は、骨セメントなどの、注入可能な物質、生体適合性物質が通過できるように構成されている。
【００３７】
変形可能なヘッド１６２を伸ばしてしっかり固定するために、生体適合性物質は、カニューレ１６８を通して注入され、変形可能なヘッド１６２の通路１６６及びチャネル１６４の中へ押し込む。生体適合性物質を受けることで、変形可能なヘッド１６２は引込んだ状態（図示しない）から、図２１，２２に示す、伸びた状態に伸びる。ひとつの例示的な実施態様では、変形可能なヘッド１６２は、上に詳述したような、横の切り口を通過するために収縮しているバルーンとして形成され、そして、生体適合性物質を受けることで、最終的な伸びた位置に膨張する。別の実施態様では、変形可能なヘッド１６２は、横の切り口を通過できるように圧縮されることが出来る、弾性的に変形可能な物質から形成されている。一旦、変形可能なヘッド１６２が、骨セメント１７０（図２２）のような生体適合性物質で満たされると、生体適合性物質は、たとえば、遠赤外線を照射することによって、硬化して、変形可能なヘッド１６２を伸びた位置にしっかりと固定する。
【００３８】
ひとつの例示的な実施態様では、変形可能なヘッド１６２は、ヒドロゲル、リン酸カルシウム、あるいは、たとえば、ウレタンのような、注入可能なポリマーから形成することができる。別の例示的な実施態様では、変形可能なヘッド１６２は、変形可能なヘッド１６２が通路１６６を通過できるように十分変形できる、たとえば、ニチロールのような、形状記憶金属から形成することができる。別の例示的な実施態様では、変形可能なヘッド１６２の外側の面は、骨セメント１７０（図２２）のような、注入された生体適合性物質を保持できる、再収着可能な繊維、メッシュ、および／あるいは、シートから形成することができる。この実施態様では、再収着可能な繊維、メッシュ、および／あるいは、たとえば、乾燥、硬化処理、および／あるいは、高分子化によって、これらが固まったコンパウンドを実質的に形成するまで、シートは、注入された生体適合性物質を保持する。別の例示的な実施態様では、生体適合性物質と共に織物を使用して、変形可能なヘッド１６２を形成して、変形可能なヘッド１６２の全体的な引張り強度を増大させることができる。たとえば、チタン、あるいは、チタン繊維は、たとえば、ポリエーテルエーテルケトン（ＰＥＥＫ）、ポリ酢酸ビニル、および／あるいは、ポリビニルピロリドンと織り合わされて、所望の強度と装着特性との組合せを達成することが出来る。
【００３９】
有利な効果として、変形可能なヘッド１６２を使用によって、人工大腿骨に関節膜嚢を挿入に晒す、あるいは、大腿骨ヘッドを装着する、必要をなくすことができる。加えて、変形可能なヘッド１６２を、要求の低い応用分野、すなわち、患者が高齢であるときのような、患者が、変形可能なヘッド１６２に、大きく安定的な応力をかけそうにない、応用分野で使用することができる。変形可能なヘッド１６２を使用することで、患者の回復時間が短縮され、切断する組織の量を低減することができる。
【００４０】
本発明は、好適な設計を有するものとして記載されたが、本発明は、本開示の思想と範囲の内で、さらに、変更することが可能である。それゆえに、本出願は、本発明の一般的原理を使用した、本発明の如何なる変更、使用、あるいは、適用もカバーすることを意図している。さらに、本出願は、本発明に属する既知のあるいは慣用技術、および、添付の請求項の範囲内にある、本開示からの変更をもカバーすることを意図している。
【図面の簡単な説明】
【００４１】
【図１】本発明の補綴具モジュールの展開斜視図である。
【図２】図１の補綴具モジュールの斜視図である。
【図３】大腿骨の準備に使用するヤスリを含んだ、大腿骨の断面図である。
【図４】大腿骨の準備に使用する第二のヤスリを含んだ、大腿骨の断面図である。
【図５】図４の５−５に沿って、図４の大腿骨の横方向から見た図である。
【図６】図５の６−６に沿って見た、図５の大腿骨の断面図である。
【図７】本発明のひとつの実施態様にしたがった、補綴具モジュールを示す、大腿骨の断面図である。
【図８】本発明の別の実施態様にしたがった、補綴具モジュールを示す、大腿骨の断面図である。
【図９】それに重畳した、図１の補綴具モジュールを示す、大腿骨の断面図である。
【図１０】それに重畳した、本発明の他の実施態様の補綴具モジュールを示す、大腿骨の断面図である。
【図１１】少なくともひとつの非常に小さい侵入切り口（侵入切開口、移植口）を表す、人体の部分斜視図である。
【図１２】本発明の別の実施態様にしたがった、補綴具モジュールの展開斜視図である。
【図１３】図１２の１３−１３の沿った、図１２の補綴具モジュールの部品の断面図である。
【図１４】図１２の１４−１４の沿った、図１２の補綴具モジュールの部品の断面図である。
【図１５】図１２の１５−１５の沿った、図１２の補綴具モジュールの部品の断面図である。
【図１６】図１２の１６−１６の沿った、図１２の補綴具モジュールの部品の断面図である。
【図１７】代替可能なジオメトリを表す、補綴具モジュールの正面図である。
【図１８】別の代替可能なジオメトリを表す、補綴具モジュールの側面図である。
【図１９】別の代替可能なジオメトリを表す、補綴具モジュールの横方向から見た図である。
【図２０】別の代替可能なジオメトリを表す、補綴具モジュールの横方向から見た図である。
【図２１】本発明の別の実施態様にしたがった補綴具モジュールの部品の部分断面図である。
【図２２】その中に生体適合性物質を充填した状態を表す、図２１の部品の部分断面図である。
【符号の説明】
【００４２】
８    補綴具モジュール
１０    ネック
１２    アンカ（支持手段）
１４    ヘッド端
１６    接続端
１８    アパーチャ
２０    骨接続端（骨に接続する端）
６０    補綴具モジュール
７０    補綴具モジュール
８０    補綴具モジュール
９０    補綴具モジュール
１５０    横方向切り口
１５２    前方切り口
１６０    ネック
【図１】
2008307390.tif 000003
【図２】
2008307390.tif 000004
【図３】
2008307390.tif 000005
【図４】
2008307390.tif 000006
【図５】
2008307390.tif 000007
【図６】
2008307390.tif 000008
【図７】
2008307390.tif 000009
【図８】
2008307390.tif 000010
【図９】
2008307390.tif 000011
【図１０】
2008307390.tif 000012
【図１１】
2008307390.tif 000013
【図１２】
2008307390.tif 000014
【図１３】
2008307390.tif 000015
【図１４】
2008307390.tif 000016
【図１５】
2008307390.tif 000017
【図１６】
2008307390.tif 000018
【図１７】
2008307390.tif 000019
【図１８】
2008307390.tif 000020
【図１９】
2008307390.tif 000021
【図２０】
2008307390.tif 000022
【図２１】
2008307390.tif 000023
【図２２】
2008307390.tif 000024